(57)【要約】【課題】本発明は、調整範囲を大きく取れるカムにより、簡単な作業で精度のよい調整ができる構成の光走査装置を実現する。【解決手段】本発明では、光ビームを照射する光源と、光源からの光ビームを偏向走査する偏向走査手段と、偏向走査手段により偏向走査される光ビームを像担持体上に結像する光学系を備え、像担持体上に光ビームを照射し主走査方向に走査して潜像を形成する光走査装置において、光路中に反射部材６９を備え、光ビームと像担持体のずれによって発生する主走査線の傾きを、反射部材６９の両端の少なくとも一端を支持する支持部に設けた調整装置９０により、反射部材６９の姿勢を変更して、主走査線の傾きを補正することが可能な構成であり、前記調整装置９０に非円形の偏心カム９１を用いた構成とする。【選択図】図４
2006017947.tif 000002
【特許請求の範囲】
【請求項１】
光ビームを照射する光源と、該光源からの光ビームを偏向走査する偏向手段と、該偏向走査手段により偏向走査される光ビームを被走査面である像担持体上に結像する光学系を備え、前記像担持体上に光ビームを照射し主走査方向に走査して潜像を形成する光走査装置において、
光路中に反射部材を備え、前記光ビームと前記像担持体のずれによって発生する主走査線の傾きを、前記反射部材の両端の少なくとも一端を支持する支持部に設けた調整装置により、該反射部材の姿勢を変更して、主走査線の傾きを補正することが可能な構成であり、前記調整装置に非円形の偏心カムを用いたことを特徴とする光走査装置。
【請求項２】
請求項１記載の光走査装置において、
前記カムがギアを持ち、それと噛み合う２段ギアを介して、前記カムと同軸に設けたギア部材とカムを弾性的に接触させたことを特徴とする光走査装置。
【請求項３】
請求項１または２記載の光走査装置において、
前記ギア部材が少なくとも六角頭形状または十字ネジ溝形状を持つことを特徴とする光走査装置。
【請求項４】
請求項１乃至３のいずれか一つに記載の光走査装置において、
複数の光源を有し、複数の光源からの光ビームを一つの偏向走査手段で偏向走査して複数の像担持体に対して光ビームを照射する構成であり、少なくとも２つの形状の異なる偏心カムを用い、それに噛み合う２段ギアおよびギア部材は共通のものを用いたことを特徴とする光走査装置。
【請求項５】
像担持体と、該像担持体を帯電する帯電手段と、帯電した像担持体上に光ビームを照射して潜像を形成する光書込手段と、前記像担持体上の潜像を現像剤で現像して顕像化する現像手段と、その顕像化された像担持体上の画像を直接または中間転写体を介して転写材に転写する転写手段と、前記転写材に転写された画像を定着する定着手段を備えた画像形成装置において、
前記光書込手段として、請求項１乃至４のいずれか一つに記載の光走査装置を備えたことを特徴とする画像形成装置。
【請求項６】
請求項５記載の画像形成装置において、
複数の像担持体を有し、該複数の像担持体に現像色の異なる画像を形成し、その複数の像担持体上の画像を直接または中間転写体を介して転写材に転写し、定着してカラー画像を得ることを特徴とする画像形成装置。
【発明の詳細な説明】
【技術分野】
【０００１】
本発明は、電子写真方式を用いた画像形成装置の光書込手段として用いられる光走査装置及び、その光走査装置を備えたデジタル複写機、プリンタ、プロッタ、ファクシミリ等の画像形成装置に関するものであり、特に、像担持体に潜像を形成する際の走査線の傾きを調整する手段を備えた光走査装置及び画像形成装置に関するものである。
【背景技術】
【０００２】
レーザプリンタやデジタル複写機等の電子写真方式を用いた画像形成装置においては、高品質な画像や高速度や省スペースや省エネなどが要求されているため、光書込手段の一つである光走査装置に用いる光学系も高性能なものが用いられるようになってきた。また、従来の白黒に対して、カラーの画像形成装置も要求されるようになってきた。カラー画像を形成する場合は、複数の色を重ね合わせる必要があり、１つの像担持体で複数色の像を重ねる方法と、複数の像担持体で複数色の画像を重ねる方法がある。カラー画像の品質を低下させる原因の一つとして、これら複数の色の重なり具合のずれが挙げられる。
例えば、像担持体と照射ビームの主走査方向が傾いていれば、画像として主走査線の傾いたものが形成され、複数のうちの一つが傾いていれば、その色だけが他の色からずれた画像が形成されることになる。
【０００３】
そこで、主走査方向の走査線傾きを光走査装置の反射部材を変位させることで調整することが行なわれている。
例えば特許文献１においては、偏心カムを用いてシリンドリカルミラーを変位させて走査線の傾きを調整する調整機構が示されている。
しかしながら、この従来技術では、調整に利用できるカムの範囲が限定的であり、調整精度を確保するために、アーム部が必要である。
【０００４】
また、特許文献２においては、偏心カムを用いて偏向ミラーを変位させて走査線の傾きを調整する調整機構が示されている。この従来技術では、偏向ミラーを移動させようとする量をΔｙ、偏心カムの移動角をΔθ、ホームポジションからの偏心カムの回転角をθ、偏心カムの偏心量をｅとした場合に、制御手段が、
Δθ＝sin-1（sinθ＋Δｙ／ｅ）−θ
の式に基く演算処理を介して制御することを特徴としている。
しかしながら、この従来技術では、上記の式から明らかなように、カム形状は円形であり、調整量とカム回転角度が複雑な関係になる。
【０００５】
【特許文献１】特開２００２−１４８５５０号公報
【特許文献２】特開平９−２６９４５５号公報
【発明の開示】
【発明が解決しようとする課題】
【０００６】
複数の光ビームを照射する光走査装置の場合、それぞれの光路に配設した反射部材の状態により、反射部材の変位と走査線傾きの量的な関係が異なっていることがある。
そこで本発明では、調整量の異なる反射部材の変位に対応できる調整手段を備えた光走査装置を提供することを目的とする。
より具体的には、本発明では、調整範囲を大きく取れるカムにより、簡単な作業で精度のよい調整ができる構成の光走査装置を提供することを目的とする。
また、本発明は、その光走査装置を備え、走査線の傾きを調整して画像品質を向上した画像形成装置を提供することを目的とし、さらには、色ずれのないカラー画像を得ることができる画像形成装置を提供することを目的とする。
【課題を解決するための手段】
【０００７】
上述の目的を達成するための手段として、本発明では以下のような構成を採っている。
本発明の第一の構成は、光ビームを照射する光源と、該光源からの光ビームを偏向走査する偏向走査手段と、該偏向走査手段により偏向走査される光ビームを被走査面である像担持体上に結像する光学系を備え、前記像担持体上に光ビームを照射し主走査方向に走査して潜像を形成する光走査装置において、光路中に反射部材を備え、前記光ビームと前記像担持体のずれによって発生する主走査線の傾きを、前記反射部材の両端の少なくとも一端を支持する支持部に設けた調整装置により、該反射部材の姿勢を変更して、主走査線の傾きを補正することが可能な構成であり、前記調整装置に非円形の偏心カムを用いたことを特徴とする（請求項１）。
【０００８】
本発明の第二の構成は、第一の構成の光走査装置において、前記カムがギアを持ち、それと噛み合う２段ギアを介して、前記カムと同軸に設けたギア部材とカムを弾性的に接触させたことを特徴とする（請求項２）。
また、本発明の第三の構成は、第一または第二の構成の光走査装置において、前記ギア部材が少なくとも六角頭形状または十字ネジ溝形状を持つことを特徴とする（請求項３）。
さらに、本発明の第四の構成は、第一乃至第三のいずれか一つの構成の光走査装置において、複数の光源を有し、複数の光源からの光ビームを一つの偏向走査手段で偏向走査して複数の像担持体に対して光ビームを照射する構成であり、少なくとも２つの形状の異なる偏心カムを用い、それに噛み合う２段ギアおよびギア部材は共通のものを用いたことを特徴とする（請求項４）。
【０００９】
本発明の第五の構成は、像担持体と、該像担持体を帯電する帯電手段と、帯電した像担持体上に光ビームを照射して潜像を形成する光書込手段と、前記像担持体上の潜像を現像剤で現像して顕像化する現像手段と、その顕像化された像担持体上の画像を直接または中間転写体を介して転写材に転写する転写手段と、前記転写材に転写された画像を定着する定着手段を備えた画像形成装置において、前記光書込手段として、第一乃至第四のいずれか一つの構成の光走査装置を備えたことを特徴とする（請求項５）。
また、本発明の第六の構成は、第五の構成の画像形成装置において、複数の像担持体を有し、該複数の像担持体に現像色の異なる画像を形成し、その複数の像担持体上の画像を直接または中間転写体を介して転写材に転写し、定着してカラー画像を得ることを特徴とする（請求項６）。
【発明の効果】
【００１０】
第一の構成の光走査装置においては、光ビームと像担持体のずれによって発生する主走査線の傾きを調整する構成部材を配設したので、部品や組立に要求される精度を緩和することができる。
第二の構成の光走査装置においては、上記効果に加え、反射部材の姿勢調整作業に用いるカムと同軸上にギア部材を設けたので、調整機構のスペースを少なくすることができる。また、カムとギア部材の両者に突起部と凹部を設け、それらの嵌合によりカムを固定する構成としたので、固定ネジ等を必要とせず、調整作業が容易である。
第三の構成の光走査装置においては、上記効果に加え、調整に用いる工具として特殊な工具を必要としないので、多くの場面で調整作業を行なうことが可能である。
第四の構成の光走査装置においては、上記効果に加え、カム形状の異なる部品に対してもそれに噛み合う関連部品は同じものを用いることができるので、部品点数を最小限に抑えながら、調整効果を上げることが可能である。
【００１１】
第五の構成の画像形成装置においては、光書込手段として、第一乃至第四のいずれか一つの構成の光走査装置を備えたことにより、光ビームと像担持体のずれによって発生する主走査線の傾きを調整することができ、画像品質を向上することができる。
第六の構成の画像形成装置においては、複数の像担持体の主走査線の傾きを調整することができ、複数の像担持体上に形成した色の異なる画像を、直接または中間転写体を介して転写材に重ね合わせて転写した際に、走査線の傾きによる色ずれの発生を抑えることができ、色ずれのないカラー画像を得ることができる。
【発明を実施するための最良の形態】
【００１２】
以下、本発明を実施するための最良の形態を図面を参照して詳細に説明する。
まず、本発明に係る光走査装置を用いた画像形成装置の一実施形態について説明する。図１は本発明の一実施形態を示す画像形成装置の概略構成図、図２は図１に示す画像形成装置１に用いられる光走査装置６の概略構成を示す平面図、図３は図２に示す光走査装置の概略断面図である。
図１に示す画像形成装置１は、電子写真方式の画像形成プロセスを採用したカラーレーザプリンタの一例を示すものであり、画像形成部２は、中間転写体である中間転写ベルト１１に沿って複数の像担持体（感光体ドラム）１０Ｙ，１０Ｃ，１０Ｍ，１０Ｋを並設した所謂タンデム型の構成である。
【００１３】
図１〜３において、複数の感光体ドラム１０Ｙ，１０Ｃ，１０Ｍ，１０Ｋの周囲には、それぞれ回転方向の順に帯電手段８、光書込手段（光走査装置）６、現像手段９、転写手段１２，１３、クリーニング手段７、がそれぞれ配設されている。
帯電手段８は、例えばローラ状に形成された導電性ローラで、このローラに帯電バイアス電圧が図示しない電源装置から供給され、各感光体ドラム１０Ｙ，１０Ｃ，１０Ｍ，１０Ｋの表面を一様に帯電させる。
光書込手段（光走査装置）６は、イエロー（Ｙ），シアン（Ｃ），マゼンタ（Ｍ），ブラック（Ｋ）の各色用に４つのレーザ光源ユニット（例えば半導体レーザ（ＬＤ）ユニット）６１Ｙ，６１Ｃ，６１Ｍ，６１Ｋを備え、イエロー（Ｙ），シアン（Ｃ），マゼンタ（Ｍ），ブラック（Ｋ）の各色の画像データに基づいて点灯／消灯するレーザ光を各感光体ドラム１０Ｙ，１０Ｃ，１０Ｍ，１０Ｋの表面に照射し、感光体ドラム上に各色用の静電潜像を形成する。
現像手段９は、各感光体ドラム１０Ｙ，１０Ｃ，１０Ｍ，１０Ｋ上に形成された静電潜像を、イエロー（Ｙ），シアン（Ｃ），マゼンタ（Ｍ），ブラック（Ｋ）の各色の現像剤にて顕像化する。
転写手段１２は、中間転写ベルト１１を挟んで各感光体ドラム１０Ｙ，１０Ｃ，１０Ｍ，１０Ｋに対向して配置され、所定の転写バイアスが印加されて、各感光体ドラム１０Ｙ，１０Ｃ，１０Ｍ，１０Ｋ上の各色の顕画像を中間転写ベルト１１に転写する。
クリーニング手段７は、転写後に各感光体ドラム１０Ｙ，１０Ｃ，１０Ｍ，１０Ｋ上に残留する現像剤を除去する。
【００１４】
図１に示すカラーレーザプリンタ１では、複数の感光体ドラム１０Ｙ，１０Ｃ，１０Ｍ，１０Ｋ上の各色の画像を中間転写ベルト１１に順次重ね合わせて転写した後、転写手段１３によって記録紙等の転写材３ａに一括して転写する構成の例である。転写材３ａは給紙手段３の給紙ローラ３ｂにより１枚ずつ分離されてレジストローラ３ｃに搬送され、さらに上記の転写手段１３に搬送される。また、給紙ローラ３ｂを支持する支持部材３ｆが存在する。
転写手段１３によって画像が転写された転写材３ａは定着手段４に搬送され、定着手段４の加熱・加圧部材によって加熱、加圧されて画像が転写材３ａに定着される。そして、定着後の転写材３ａは搬送ローラ３ｄで搬送され、排紙ローラ３ｅにより排紙トレイに排紙される。
【００１５】
次に光走査装置６の構成を図２を用いて説明する。この光走査装置６の基本構成は、レーザ光を発振するレーザ光源ユニット（ＬＤユニット）６１Ｙ，６１Ｃ，６１Ｍ，６１Ｋと、画像信号に基づいて変調されたレーザ光を偏向走査する偏向走査手段（例えば回転多面鏡）６２と、偏向走査したレーザ光を感光体上で所望の大きさに結像させる結像光学系６３と、レーザ光の走査開始タイミングを検知する同期検知手段６４とであり、それらの構成要素を保持する筐体およびカバーである。本実施形態では、４つの感光体ドラム１０Ｙ，１０Ｃ，１０Ｍ，１０Ｋにレーザ光を照射するために４つのレーザ光源ユニット（ＬＤユニット）６１Ｙ，６１Ｃ，６１Ｍ，６１Ｋを搭載し、２つずつに分けて回転多面鏡６２の両側から入射させる、所謂対向走査方式の例である。発光源には半導体レーザ（ＬＤ）を用いている。また、半導体レーザと、半導体レーザから射出された発散光を略平行化するコリメートレンズと、半導体レーザ駆動回路基板とを保持部材により保持した構成でレーザ光源ユニット（ＬＤユニット）６１Ｙ，６１Ｃ，６１Ｍ，６１Ｋを構成している。ＬＤユニット６１Ｙ，６１Ｃ，６１Ｍ，６１Ｋから射出されたレーザ光は、アパーチャ６５、シリンダレンズ６６を通って、偏向走査手段である回転多面鏡６２に至る。回転多面鏡６２に片側から２つの光を独立に入射させるために、一方の光路にミラー６７を入れている。
【００１６】
回転多面鏡６２の回転数が、３００００ｒｐｍを超える程度に速い場合は、騒音対策等のために回転多面鏡６２を防音ガラスを用いて密閉する場合が多い。図２では、回転多面鏡６２の両側に防音ガラス６８が配設された構成になっている。
図２、図３に示すように、回転多面鏡６２で偏向走査されたレーザ光は、再び防音ガラス６８を経て、結像レンズ６３に入射する。その後、感光体ドラム１０Ｙ，１０Ｃ，１０Ｍ，１０Ｋへ導かれる光は反射部材であるミラー６９を経由して、各感光体ドラム１０Ｙ，１０Ｃ，１０Ｍ，１０Ｋへ至る。各感光体ドラム１０Ｙ，１０Ｃ，１０Ｍ，１０Ｋに対する照射角度は、４つのそれぞれでほぼ同一である。一方、書込み開始のタイミングを決定するための同期検知手段６４は、前記結像レンズ６３を通ったビームを同期検知用ミラー６４ａで折り返し、受光する。同期検知手段６４は、結像レンズ６４ｂと、光電素子６４ｃを持つ電気回路基板６４ｄと、それらを保持する保持部材（不図示）から構成されている。
【００１７】
ここで、同期検知の本来の意味は、走査光のタイミングを取ることであるので、通常、走査に先立って設置されていればよい。さらに、１走査の速度（あるいは時間）の変動を検知するために、走査後端にも検知手段が設置されることがある。図２には、そのような走査の前後で同期を取るような構成を示した。また、図３に示したような上下２段の走査光を１つの同期検知手段６４で検知する。
【００１８】
光走査装置６から感光体ドラム１０Ｙ，１０Ｃ，１０Ｍ，１０Ｋへの出射口には、光書込装置6への塵埃の侵入等を防ぐために防塵部材６０Ｙ，６０Ｃ，６０Ｍ，６０Ｋを設けている。これは平板ガラスであることが多い。図では、防塵部材６０Ｙ，６０Ｃ，６０Ｍ，６０Ｋは光走査装置６のカバー７１に取付けられた状態である。また、以上のような構成部品を筐体７０に収容し、前記のカバー７１で閉じられている。
【００１９】
なお、以上の実施形態では、複数の感光体ドラム１０Ｙ，１０Ｃ，１０Ｍ，１０Ｋに対して、一つの光走査装置６から全ての感光体ドラム１０Ｙ，１０Ｃ，１０Ｍ，１０Ｋへのレーザ光を発する構成の例を示したが、これとは別の構成例として、図示していないが、複数の感光体のそれぞれに個別の光走査装置を配設することもできる。例えば、４つの感光体に対して、４つの光走査装置（光書込手段）を用いる構成としてもよい。
【００２０】
さて、本発明に係る光走査装置６では、光路中に反射部材（ミラー）６９を備え、光ビームと感光体ドラム１０Ｙ，１０Ｃ，１０Ｍ，１０Ｋのずれによって発生する主走査線の傾きを、反射部材（ミラー）６９の両端の少なくとも一端を支持する支持部に設けた調整装置９０により、該反射部材（ミラー）６９の姿勢を変更して、主走査線の傾きを補正することが可能な構成としたものであり、調整装置９０に非円形の偏心カム９１を用いたものである（図４〜６）。
そして、前記偏心カム９１がギア９１ｂを持ち、それと噛み合う２段ギア９２を介して、前記カム９１と同軸に設けたギア部材９３とカム９１を弾性的に接触させた構成とする。また、前記ギア部材９３が少なくとも六角頭形状または十字ネジ溝形状を持つ構成とする。
さらには、少なくとも２つの形状の異なる偏心カム９１を用い、それに噛み合う２段ギア９２およびギア部材９３は共通のものを用いた構成とするものである。
【実施例】
【００２１】
以下、本発明に係る光走査装置の構成を図示の実施例に基いてさらに詳しく説明する。
図４は、光走査装置６に設けられた反射部材（ミラー）６９を支持するユニットの構成例を示す斜視図である。このユニットは、４つの側板８１，８２，８３，８４により枠体を構成し、対向する２つの側板８２，８４に設けた穴部間に反射部材（ミラー）６９を取り付けている。図では手前の側板８２に、図７に示すような構成の調整装置（調整機構）９０が４箇所に設けられている。図７に示す調整装置９０は、偏心カム９１、２段ギア９２、調整ギア９３から構成されている。
【００２２】
図５（ａ）に示すように、反射部材（ミラー）６９は両端部で支持されており、一方が１点受け、他方が２点受けの３点受けにしているが、本実施例では、図５（ｂ）に示すように、この１点受け側を偏心カム（図７の偏心カム９１の一部）で置き換えた。この偏心カム９１を回転させることにより、反射部材（ミラー）６９を法線方向に変位させ、反射部材（ミラー）６９を傾かせることができる。
【００２３】
ところで、円形の部材で構成する偏心カムでは、当然、円の半周しか有効ではない。また、回転角に対する変位量の割合も変化する（下記の［式１］参照）ので、調整作業がやや難しい。
［式１］：ｄ＝ｅcosθ−ｒ
（ｄ：変位量、ｅ：偏心量、θ：回転角度、ｒ：半径）
【００２４】
そこで、本実施例では、下記の［式２］で表わされるように、回転角と変位量の割合がほぼ一定となるような非円形のカムを作製した。なお、図６（ａ），（ｂ）は、非円形のカム部品９１を、表と裏から見た図である。
[式２]：ｒ＝ｒ0＋ａθ/２π
（ａ：係数、θ：回転角度、ｒ：半径、ｒ0：初期径（θ＝０））
偏心カム９１をこのように構成することにより、回転角度と変位量がほぼ一定になるので、調整作業がやり易い。
【００２５】
図６〜８に示すように、偏心カム９１はギア９１ｂを持ち、それと噛み合う２段ギア９２（ギア部９２ａ，９２ｂ）を介して、該偏心カム９１と同軸上に設けた調整ギア９３(ギア部９３ａ)に連結される。調整ギア９３は調整の際の工具のアクセスが可能なように、六角頭形状あるいは十字穴形状、またはそれらの複合形状を持つ。調整ギア９３は、ギア部９３ａ、その下部にフランジ形状９３ｂを持ち、そのフランジ９３ｂが軸方向に変形可能なように、円周状に溝９３ｃが設けられている。フランジ９３ｂの下側には球形の一部で構成された突起９３ｄを持っている。
【００２６】
偏心カム９１には、この突起９３ｄに対応する球形の凹部９１ｃが複数設けられている。両者を軸上に重ねることで、突起部９３ｄと凹部９１ｃを嵌合させる。調整ギア９３を回転させることでギア連結された偏心カム９１も同じ方向に回転するが、ギアにより減速されているので、減速比分ゆっくり回転する。これにより調整作業を容易にしている。初め嵌合していた突起部９３ｄと凹部９１ｃが嵌合から抜け出して、次の嵌合状態になったときに、突起部９３ｄと凹部９１ｃに嵌まり込み、クリック感を出すことができる。これによって調整作業が容易になる。また、上記の嵌合により偏心カム９１を（回転方向に動かないように）固定するので、ネジなどの方法で固定する必要もなく、さらに調整作業を容易にしている。
本実施例では、凹部９１ｃを円周上に１２箇所設け、ギアの減速比を１／６．５３に設定することで、約３５．４°で１クリックになるように設定した。
【００２７】
図３に示したような光路の構成で、４つの光路の全てを傾き調整の対象とした場合、それぞれの光路中の反射部材（ミラー）６９に対する光ビームの入射角度が異なることにより、反射部材（ミラー）６９をその法線方向に変位させたときの感光体ドラムにおける主走査線の傾きの変化量は異なってくる。本構成では、入射角度が小さいほどその変化量は小さくなっている。従って、画像上で同じ量の傾きを補正するために必要な反射部材（ミラー）６９の変位は、それぞれで異なっている。この変位の差が小さければ、一つの偏心カム９１を共通に使用することができる。逆に、この差が大きい場合、それぞれの光路に合わせた偏心カムを作製することもできる。
【００２８】
本実施例では、カム形状の異なる偏心カム９１を２種類作製した。異なるのはカム形状９１ａのみで、ギア９１ｂやその他の部品は同じである。また、それに噛み合う２段ギア９２および調整ギア９３は共通に使用できるように構成した。
なお、上記ではカム形状以外は同じであるとしたが、微妙に異なる部品同士の外観上の区別のために、色を変えて対応した。色を変える例以外には、形状を変えて対応することも可能である。
【産業上の利用可能性】
【００２９】
以上説明した通り、本発明に係る光走査装置は、光ビームと像担持体のずれによって発生する主走査線の傾きを調整する構成部材を配設したので、部品や組立に要求される精度を緩和することができ、簡易な構成で主走査線の傾きを調整することができる。従って、この光走査装置を画像形成装置に用いることにより、画像品質を向上することができる。特に、複数の像担持体を備えたタンデム型の画像形成装置に利用することにより、複数の像担持体の主走査線の傾きを調整することができ、複数の像担持体上に形成した色の異なる画像を、直接または中間転写体を介して転写材に重ね合わせて転写した際に、走査線の傾きによる色ずれの発生を抑えることができ、色ずれのないカラー画像を得ることができる。
【図面の簡単な説明】
【００３０】
【図１】本発明の一実施形態を示す画像形成装置の概略構成図である。
【図２】図１に示す画像形成装置に用いられる光走査装置の概略構成を示す平面図である。
【図３】図２に示す光走査装置の概略断面図である。
【図４】光走査装置に設けられた反射部材（ミラー）を支持するユニットの構成例を示す斜視図である。
【図５】反射部材の支持手段の説明図である。
【図６】本発明に係る調整装置の偏心カムの一例を示す図である。
【図７】本発明に係る調整装置の調整機構部の一例を示す斜視図である。
【図８】本発明に係る調整装置の調整ギヤの一例を示す斜視図である。
【符号の説明】
【００３１】
１：画像形成装置（カラーレーザプリンタ）
２：画像形成手段
３：給紙手段
４：定着手段
６：光走査装置（光書込手段）
７：クリーニング手段
８：帯電手段
９：現像手段
１０Ｙ，１０Ｃ，１０Ｍ，１０Ｋ：感光体ドラム（像担持体）
１１：中間転写ベルト（中間転写体）
１２，１３：転写手段
６０Ｙ，６０Ｃ，６０Ｍ，６０Ｋ：防塵部材
６１Ｙ，６１Ｃ，６１Ｍ，６１：レーザ光源ユニット（ＬＤユニット）
６２：回転多面鏡（偏向走査手段）
６３：結像光学系
６４：同期検知手段
６４ａ：同期検知用ミラー
６４ｂ：結像レンズ
６４ｃ：光電素子
６４ｄ：電気回路基板
６５：アパーチャ
６６：シリンダレンズ
６７：ミラー
６８：防音ガラス
６９：反射部材（ミラー）
７０：筐体
７１：カバー
９０：調整装置（調整機構）
９１：偏心カム
９２：２段ギア
９３：調整ギア
【図１】
2006017947.tif 000003
【図２】
2006017947.tif 000004
【図３】
2006017947.tif 000005
【図４】
2006017947.tif 000006
【図５】
2006017947.tif 000007
【図６】
2006017947.tif 000008
【図７】
2006017947.tif 000009
【図８】
2006017947.tif 000010